(57)【要約】【課題】携帯用電子機器を充電台に装着すると、自動的にホールドスイッチのホールド状態が解除される携帯用電子機器の充電台を提供する。【解決手段】携帯用電子機器１を装着することにより携帯用電子機器１のバッテリを充電する充電台２において、携帯用電子機器の操作部をホールド状態とするホールドスイッチ１ｂを操作する作動子２ａを備え、携帯用電子機器１を充電台２に装着するときに前記作動子２ａが前記ホールドスイッチ１ｂを操作するように構成した。【選択図】        図２
2006280067.tif 000002
【特許請求の範囲】
【請求項１】
携帯用電子機器を装着することにより前記携帯用電子機器のバッテリを充電する充電台において、携帯用電子機器の操作部をホールド状態とするホールドスイッチを操作する作動子を備え、前記携帯用電子機器を前記充電台に装着するときに前記作動子が前記ホールドスイッチを操作するように構成した携帯用電子機器の充電台。
【請求項２】
前記携帯用電子機器を前記充電台に装着するときに前記作動子が前記ホールドスイッチを動作させて前記操作部のホールド状態を解除するように構成した請求項１の携帯用電子機器の充電台。
【請求項３】
前記作動子が作動する状態と作動しない状態とを任意に設定可能とした請求項１または２の携帯用電子機器の充電台。
【請求項４】
携帯用電子機器からの音声信号により発音するスピーカを備えた請求項１から３のいずれかに記載した携帯用電子機器の充電台。
【発明の詳細な説明】
【技術分野】
【０００１】
この発明は携帯用電子機器に係わり、特に、その充電台に関する。
【背景技術】
【０００２】
従来の携帯用電子機器を携帯用ＭＤプレーヤを例として図３により説明する。図３に示す携帯用ＭＤプレーヤ３はその側面に再生、停止等の操作をするための操作つまみ３ｃ、３ｃ…が設けられている。図示していない挿入口から挿入されたＭＤ（ミニディスク）は操作つまみ３ｃを操作することにより再生状態となり、図示していないイヤホンまたはスピーカにより使用者が再生音を聞くことができる。
【０００３】
この携帯用ＭＤプレーヤ３を使用者がポケットや鞄に入れて持ち運ぶときに操作つまみ、３ｃ、３ｃ…が誤って押されて誤動作することを防止するためにホールドスイッチが設けられている。
【０００４】
そのホールドスイッチを操作するためのホールドスイッチつまみ３ｂが携帯用ＭＤプレーヤ３のケースの溝３ａ内で摺動するように設けられており、ホールドスイッチつまみ３ｂをＨＯＬＤ  ＯＮ位置とすると、ホールドスイッチがホールド・オン状態となり、操作つまみ３ｃ、３ｃ…がホールドされて操作つまみ３ｃを押しても動作しない。ホールドスイッチつまみ３ｂをＨＯＬＤ  ＯＦＦ位置とすると、ホールドスイッチがホールド・オフ状態となり、操作つまみ３ｃ、３ｃ…が動作可能となる。
【０００５】
また、この携帯用ＭＤプレーヤ３は内部にバッテリを備えており、携帯用ＭＤプレーヤ３を図４に示すように充電台４に装着することによりバッテリを充電できる。すなわち、携帯用ＭＤプレーヤ３の底面には図３に示すように電源端子３ｄ、３ｄおよび音声信号等を充電台４に接続する接続端子３ｅ、３ｅ…が露出しており、これらの端子は携帯用ＭＤプレーヤ３を充電台４に装着したときに図示していない充電台４の端子に接続される。
【０００６】
充電台４には携帯用ＭＤプレーヤ３からの再生音を発音するスピーカ４ｂおよび音声オン・オフ、スピーカ音量調整等の操作をするための操作つまみ４ａ、４ａ…が設けられており、電源コード６およびＡＣアダプター５を介して家庭用電源に接続される。
【０００７】
上記した従来の携帯用ＭＤプレーヤおよびその充電台は使用者がホールドスイッチをホールド・オン状態としたことを忘れて充電台４に装着された携帯用ＭＤプレーヤ４を再生してスピーカ４ｂから音を聞こうとして携帯用ＭＤプレーヤの操作つまみ３ｃ、３ｃ…を操作しても動作しない。この場合使用者が故障と勘違いすることがあった。
【０００８】
使用者が故障と勘違いすると、携帯用ＭＤプレーヤをサービス部門に持ち込み無駄な検査をすることになるという問題があった。
【０００９】
そこで、ホールドスイッチをホールド・オン状態とした状態で充電台に装着した場合でも充電台および携帯型再生装置の操作ボタンを使用できる再生装置が特開２００４−１３９６６１号公報に提案されている。
【特許文献１】特開２００４−１３９６６１号公報、段落００２４〜段落００２８、図６
【発明の開示】
【発明が解決しようとする課題】
【００１０】
上記した特開２００４−１３９６６１号公報に提案された再生装置の充電台によると、再生装置が充電台に装着されているときと装着されていないときの制御手段への入力電圧を監視し、充電台に装着されているときにホールドスイッチのホールド状態をソフトウエアにより解除している。
【００１１】
すなわち、ホールドスイッチおよびその回路の他にホールドスイッチのホールド状態を解除するソフトウエアが必要となり、構成が複雑となり製造コストが高くなるという問題があった。
【００１２】
この発明は上記した点に鑑みてなされたものであって、その目的とするところは、携帯用電子機器を充電台に装着すると、自動的にホールドスイッチつまみを操作してホールドスイッチのホールド状態を解除する携帯用電子機器の充電台を提供することにある。
【課題を解決するための手段】
【００１３】
この発明の携帯用電子機器の充電台は、携帯用電子機器を装着することにより前記携帯用電子機器のバッテリを充電する充電台において、携帯用電子機器の操作部をホールド状態とするホールドスイッチを操作する作動子を備え、前記携帯用電子機器を前記充電台に装着するときに前記作動子が前記ホールドスイッチを操作するように構成したものである。
【００１４】
また、前記携帯用電子機器の充電台において、前記携帯用電子機器を前記充電台に装着するときに前記作動子が前記ホールドスイッチを動作させて前記操作部のホールド状態を解除するように構成したものである。
【００１５】
また、前記各携帯用電子機器の充電台において、前記作動子が作動する状態と作動しない状態とを任意に設定可能としたものである。
【００１６】
また、前記各携帯用電子機器の充電台において、携帯用電子機器からの音声信号により発音するスピーカを備えたものである。
【発明の効果】
【００１７】
この発明の携帯用電子機器の充電台によれば、ホールドスイッチをオフとさせるように作動子を設定しておけば、使用者が携帯用電子機器を充電台に装着するだけでホールドスイッチが自動的にホールド・オフ状態となるので、使用者が間違ってホールド・オン状態で携帯用電子機器を充電台に装着してしまっても、わざわざ携帯用電子機器を取り出してホールド・オン状態を解除する必要がない。
【００１８】
使用者がホールド・オン状態で携帯用電子機器を充電台に装着して操作つまみが動作しないときに故障と勘違いして携帯用電子機器をサービス部門に持ち込んで無駄な検査をすることがなくなる。
【００１９】
さらに、携帯用電子機器を充電台に装着するだけでホールドスイッチが自動的にホールド・オフ状態となるようにすると、携帯用電子機器の操作つまみを携帯用電子機器を充電台に装着した状態で操作しやすい位置に配置しておけば、携帯用電子機器の操作つまみのみで操作を行えるので、充電台に操作つまみを設けなくてすむ。
【発明を実施するための最良の形態】
【００２０】
以下この発明を実施するための最良の形態を実施例に即して説明する。図１はこの発明の実施例である携帯用ＭＤプレーヤとその充電台を示す斜視図、図２は同携帯用ＭＤプレーヤ用が充電台に装着された状態を示す部分断面図である。
【００２１】
図１に示す携帯用ＭＤプレーヤ１はその上面に再生、停止等の操作をするための操作つまみ１ｃ、１ｃ…が設けられている。図示していない挿入口から挿入されたＭＤ（ミニディスク）は操作つまみ１ｃを操作することにより再生状態となり、図示していないイヤホンまたはスピーカにより使用者が再生音を聞くことができる。
【００２２】
この携帯用ＭＤプレーヤ１の操作つまみ１ｃ、１ｃ…をホールド・オンまたはホールド・オフ状態とするためのホールドスイッチつまみ１ｂは携帯用ＭＤプレーヤ１のケースの溝１ａ内で摺動するように設けられている。溝１ａはケースの下面に達するまで延びている。
【００２３】
携帯用ＭＤプレーヤ１を図１に示す充電台２に矢印で示す方向に差し込んで装着することによりバッテリを充電できる。すなわち、従来で示したものと同様に携帯用ＭＤプレーヤ１の底面には電源端子および音声信号等を充電台２に接続する接続端子が露出しており、これらの端子は携帯用ＭＤプレーヤ１を充電台２に装着したときに充電台の端子に接続される。
【００２４】
そして、図示していないが、充電台２には携帯用ＭＤプレーヤ３からの再生音を発音するスピーカおよび音声オン・オフ、スピーカ音量調整等の操作をするための操作つまみが設けられており、電源コード６およびＡＣアダプター５を介して家庭用電源に接続される。
【００２５】
図２に示す作動子２ａは軸２ｂを介して摩擦力を受けながら矢印方向に回動可能に充電台２に取り付けられている。図２は作動子２ａが時計方向に回動されている状態を示しており、このときは携帯用ＭＤプレーヤ１が充電台２に装着されたときに作動子２ａがホールドスイッチつまみ１ｂを作動させて操作つまみ１ｃ、１ｃ…をホールド・オフ状態とする。
【００２６】
作動子２ａが反時計方向に回動されている状態では、携帯用ＭＤプレーヤ１を充電台２に装着するときに作動子２ａはホールドスイッチつまみ１ｂを作動させない。作動子２ａの回動位置は使用者により選択的に設定される。充電台２の側面に作動子を設け、リンク機構等を介して作動子２ａを操作し回動位置を設定するようにしてもよい。
【００２７】
実施例は以上のように構成されているが発明はこれに限られず、例えば、この発明を携帯用ＭＤプレーヤの代わりに携帯用ＣＤプレーヤ等の他の携帯用電子機器に適用することも可能である。
【００２８】
また、作動子２ａを充電台２に固定して携帯用ＭＤプレーヤ１を充電台２に装着するときは常にホールドオフ状態とするようにしてもこの発明の効果を得ることができる。
【図面の簡単な説明】
【００２９】
【図１】この発明の実施例である携帯用ＭＤプレーヤとその充電台を示す斜視図である。
【図２】同携帯用ＭＤプレーヤ用が充電台に装着された状態を示す部分断面図である。
【図３】従来の携帯用ＭＤプレーヤの例を示す斜視図である。
【図４】同携帯用ＭＤプレーヤ用が充電台に装着された状態を示す部分斜視図である。
【符号の説明】
【００３０】
１  携帯用ＭＤプレーヤ、１ａ  溝、１ｂ  ホールドスイッチつまみ
１ｃ  操作つまみ
２  充電台、２ａ  作動子、２ｂ  軸
３  携帯用ＭＤプレーヤ、３ａ  溝、３ｂ  ホールドスイッチつまみ
３ｃ  操作つまみ、３ｄ  電源端子、３ｅ  接続端子
４  充電台、４ａ  操作つまみ、４ｂ  スピーカ
５  ＡＣアダプター
６  電源コード
【図１】
2006280067.tif 000003
【図２】
2006280067.tif 000004
【図３】
2006280067.tif 000005
【図４】
2006280067.tif 000006